(57)【要約】【課題】容易に高さの変更が可能となるディスプレイ装置を提供する。【解決手段】背面に係止部材と、前面にフック位置ボタンが押下されたときにフック位置マークを表示するＬＣＤと、を備える表示装置と、異なる高さに設けられ、係止部材を係止する係止部と、この係止部の位置に合わせて設けられる位置マークと、を備える台座部と、を備える。係止部材がフック状に形成される場合は、係止部は係止部材を着脱可能な孔状に形成される。係止部材がフランジつきのピン形状である場合、係止部は溝状に形成され表示装置はこの係止部に沿って摺動可能である。【選択図】図２
2011175166.tif 000002
【特許請求の範囲】
【請求項１】
演算装置と、記憶装置と、背面に設けられる係止部材と、位置マークを前記係止部材に対応する高さに表示させる表示パネルと、を備える表示装置と、
異なる高さに設けられ、前記係止部材を係止する複数の係止部と、前記係止部の位置に合わせて、前記表示装置が装着されたときに視認可能な位置に設けられる複数の位置マークと、を備える台座部と、
を備えるディスプレイ装置。
【請求項２】
前記係止部材はフック形状をなし、
前記係止部は前記係止部材を着脱可能な孔であることを特徴とする請求項１記載のディスプレイ装置。
【請求項３】
前記係止部材はフランジつきのピン形状をなし、
前記係止部は、
異なる高さに設けられ、下方に段差のある複数の横溝と、この横溝と連結する縦溝からなる摺動溝を備え、
前記表示部は、
前記係止部に沿って摺動移動可能に前記台座部に係止されることを特徴とする請求項１記載のディスプレイ装置。
【請求項４】
演算装置と、記憶装置と、背面に設けられる係止部材と、位置マークを前記係止部材に対応する高さに表示させる表示パネルと、を備える表示装置と、異なる高さに設けられ、前記係止部材を係止する複数の係止部と、前記係止部の位置に合わせて、前記表示装置が装着されたときに視認可能な位置に設けられる複数の位置マークと、を備える台座部と、を備えるディスプレイ装置と、
前記演算装置とインターフェースを介して接続し、ユーザーＩＤごとに体格情報を格納する体格情報データベースと、を接続する情報処理装置と、
前記情報処理装置に前記ユーザーＩＤが入力されたとき、このユーザーＩＤをキーに前記体格情報データベースから前記体格情報を読み出して、前記ディスプレイ装置に送信する体格情報送信手段と、
前記体格情報を受信し、前記フック位置ボタンが押下されたとき前記体格情報に対応したフック位置を表示させるフック位置表示手段と、
を備えるディスプレイ装置システム。
【請求項５】
前記情報処理装置は、
前記ユーザーＩＤを格納する無線タグを読み書き可能なリーダライタと、
前記無線タグから前記ユーザーＩＤを、前記リーダライタを介して読み込んだ時、このユーザーＩＤをキーに前記体格情報データベースから前記体格情報を読み出して、前記ディスプレイ装置に送信する無線タグ体格情報送信手段と、
を備えることを特徴とする請求項４記載のディスプレイ装置システム。
【発明の詳細な説明】
【技術分野】
【０００１】
本発明は、高さの位置合わせが容易なディスプレイ装置及びディスプレイ装置システムに関する。
【背景技術】
【０００２】
パソコンやＰＯＳ端末、テレビジョン装置などのディスプレイ装置はチルト機構を備えており、体格の大きな操作者が使用するときはディスプレイ装置を上向きに傾け、体格の小さな操作者が使用するときはディスプレイ装置を下向きに傾けて使用される。
【０００３】
しかし、ディスプレイ装置が液晶ディスプレイである場合には、ディスプレイを傾けると画面が見にくくなるという問題点がある。
【０００４】
この点に関し、壁にフックを設け、フックの高さによってディスプレイの高さを調節する技術が提案されている（例えば、特許文献１）。
【０００５】
しかし、高さを調節するには壁に複数のフックを設けなければならず、手間がかかるという問題点がある。また、予めフックが複数用意されていた場合にも、ディスプレイの高さを変更するにはディスプレイの裏側を覗きこんで作業しなければならず、作業効率が悪いという問題点がある。
【先行技術文献】
【特許文献】
【０００６】
【特許文献１】特開２００５−１１５４０３号公報
【発明の概要】
【発明が解決しようとする課題】
【０００７】
本発明は、容易に高さの変更が可能となるディスプレイ装置及びディスプレイ装置システムを提供することを目的とする。
【課題を解決するための手段】
【０００８】
本発明は、演算装置と、記憶装置と、背面に設けられる係止部材と、位置マークを前記係止部材に対応する高さに表示させる表示パネルと、を備える表示装置と、異なる高さに設けられ、係止部材を係止する複数の係止部と、係止部の位置に合わせて、表示装置が装着されたときに視認可能な位置に設けられる複数の位置マークと、を備える台座部と、を備えるディスプレイ装置を提供する。
【発明の効果】
【０００９】
本発明によれば、操作者は表示装置の裏面を覗きこむことなしに表示装置の高さを変更することが可能となるという効果がある。
【図面の簡単な説明】
【００１０】
【図１】本発明のディスプレイ装置の表示装置の構成を表すブロック図である。
【図２】本発明のディスプレイ装置の外観斜視図である。
【図３】本発明のディスプレイ装置の側面断面図である。
【図４】本発明の表示装置をＬＯの位置に合わせて台座部に装着した場合を示す正面斜視図である。
【図５】本発明の表示装置をＬＯの位置に合わせて台座部に装着した場合を示す背面斜視図である。
【図６】本発明のディスプレイ装置の応用例を示す背面斜視図である。
【図７】本発明のディスプレイ装置の図６におけるＡＡ線断面図である。
【発明を実施するための形態】
【００１１】
以下に、本発明の一実施形態に係るディスプレイ装置を、図面を参照して詳細に説明する。図１は、本実施形態のディスプレイ装置１の表示装置２１の構成を表すブロック図である。図１に示すように、ディスプレイ装置１の表示装置２１は、表示パネルである液晶ディスプレイ装置（以下、液晶ディスプレイ装置をＬＣＤと略す。）１１と、後述するフック位置ボタン１２と、タッチパネル１３と、記憶装置であるＲＯＭ１４及びＲＡＭ１５と、演算装置であるＣＰＵ１０と、を備える。タッチパネル１３は省略することができる。ＣＰＵ１０は、ＬＣＤ１１、フック位置ボタン１２、タッチパネル１３、ＲＯＭ１４、ＲＡＭ１５にそれぞれ接続する。表示パネルは、プラズマディスプレイでも有機ＬＥＤディスプレイでもよい。
【００１２】
フック位置ボタン１２は表示装置２１の筺体前面に設けられることが望ましい。フック位置ボタン１２が押下されると、ＣＰＵ１０はＬＣＤ１１上にフック位置を表示させる。
【００１３】
ＣＰＵ１０は、インターフェースを介してパソコン、ＰＯＳ端末などの情報処理装置２に接続する。情報処理装置２は、無線タグを有するＩＣカード５を読み書きするリーダライタ３と、ユーザーごとに固有に割り当てられたＩＤに対応するユーザーの体格情報、例えば座高を格納する体格情報データベース（以下、データベースをＤＢと略す。）４と、を接続する。体格情報は、座高の場合、座高が第１の所定値以上の場合「ＵＰ」とし、第１の所定値未満かつ第２の所定値以上である場合「Ｍ」とし、第２の所定値未満の場合「ＬＯ」とし、体格情報ＤＢ４に格納される。
【００１４】
情報処理端末２は、情報処理端末２に接続されたキーボードからユーザーＩＤが入力された場合、あるいは、ＩＣカード５からユーザーＩＤを、リーダライタ３を介して読み込んだ場合、ユーザーＩＤをキーに体格情報ＤＢ４を検索し、ユーザーＩＤに対応する体格情報を読み出す。情報処理端末２は読み出した体格情報を表示装置２１のＣＰＵ１０に送信する。
【００１５】
表示装置２１のＣＰＵ１０は、受信した体格情報をＲＯＭ１４に格納する。ＣＰＵ１０はフック位置ボタン１２が押下された場合、体格情報からフック位置を算出し、後述するフック位置マーク２６ととともに、ＬＣＤ１１にフック位置を表示する。
【００１６】
フック位置は、体格情報が座高であった場合、ＣＰＵ１０は読み出した体格情報をフック位置として、例えば「“Ｍ”に合わせてください。」などのようにＬＣＤ１１に表示する。
【００１７】
図２は、ディスプレイ装置１の外観斜視図である。図２に示すように、ディスプレイ装置１は、表示装置２１と、表示装置２１を支持する台座部２２と、を備える。
【００１８】
表示装置２１は、フック位置マーク２６をフック位置ボタン１２が押下されたときに表示する。フック位置マーク２６は、例えば三角形又は矢印と「ＨＯＯＫ」の文字からなる。フック位置マーク２６は、表示装置２１の後述するフック２１Ａの位置を示す。
【００１９】
台座部２２は、表示装置２１を係止したときに視認可能な位置に、後述する係止孔２２Ａ、２２Ｂ、２２Ｃの位置を示す位置マーク２３、２４、２５を有する。位置マーク２３、２４、２５は係止孔２２Ａ、２２Ｂ、２２Ｃの高さに合わせて設けられ、例えば上段が「ＵＰ」、中段が「Ｍ」、下段が「ＬＯ」の文字とともに三角形又は矢印が表示される。
【００２０】
操作者は、ＬＣＤ１１に「“ＬＯ”に合わせてください。」の表示が示された場合、表示装置２１を台座部２２から外し、フック位置マーク２６をＬＯの位置マーク２５に合わせるように台座部２２に表示装置２１を嵌め込む。従って、操作者は表示装置２１の裏側を覗きこむ必要がない。
【００２１】
図３は、ディスプレイ装置１の側面断面図である。図３に示すように、表示装置２１は背面に係止部材２１Ａを有する。係止部材２１Ａはフック形状をなし、下向きに折れ曲がっている。
【００２２】
台座部２２は断面がほぼＬ字形状をなし、表示装置２１を設置する面は背面に傾斜する。  台座部２２は表示装置２１を設置する面に、係止部材２１Ａを掛ける係止部である複数の係止孔２２Ａ、２２Ｂ、２２Ｃを有する。係止孔２２Ａ、２２Ｂ、２２Ｃは係止部材２１Ａを着脱できるのに十分な大きさを有している。係止孔２２Ａ、２２Ｂ、２２Ｃは孔状に設けられる。
【００２３】
図４は、表示装置２１をＬＯの位置に合わせて台座部２２に装着した場合を示す正面斜視図である。図５は、表示装置２１をＬＯの位置に合わせて台座部２２に装着した場合を示す背面斜視図である。
【００２４】
図４及び図５に示すように、位置マーク２５のＬＯの位置に合わせた場合、係止部材２１Ａは下段の係止孔２２Ｃに係合する。位置マーク２３のＵＰの位置に合わせた場合、係止部材２１Ａは上段の係止孔２２Ａに係合し、位置マーク２４のＭの位置に合わせた場合、係止部材２１Ａは中段の係止孔２２Ｂに係合する。
【００２５】
図６は、本実施形態のディスプレイ装置１の応用例を示す背面斜視図である。図６に示すように、台座部３１は、係止孔２２Ａ、２２Ｂ、２２Ｃの代わりに、表示装置２１が設置される面に摺動溝３２を有する。
【００２６】
摺動溝３２は、縦方向に切り欠いた縦溝３２Ｄと、高さの異なる位置に、縦溝３２Ｄに連結し、下方に段差のある、係止部である複数の横溝３２Ａ、３２Ｂ、３２Ｃを備える。
【００２７】
図７は、ディスプレイ装置１の図６におけるＡＡ線断面図である。図７に示すように、表示装置２１は係止部材２１Ｂを有する。係止部材２１Ｂは、摺動溝３２の溝幅よりも径の小さいピン部２１Ｂ２と、ピン部２１Ｂ２の先端に摺動溝３２の溝幅よりも径の大きいフランジ部２１Ｂ２と、を備える。
【００２８】
台座部３１は断面がほぼＬ字形状をなし、表示装置２１を設置する面は背面に傾斜する。台座部３１は摺動溝３２にピン部２１Ｂ２を挿通し、ピン部２１Ｂ２の一端に表示装置２１を備え、他端にフランジ部２１Ｂ２を備える。従って、表示装置２１は摺動溝３２に沿って摺動移動可能である。ピン部２１Ｂ２は横溝３２Ａ、３２Ｂ、３２Ｃの段差にはまり込む。
【００２９】
台座部３１は、表示装置２１を設置したときに視認可能な位置に、横溝３２Ａ、３２Ｂ、３２Ｃの位置を示す位置マーク２３、２４、２５を有する。位置マーク２３、２４、２５は横溝３２Ａ、３２Ｂ、３２Ｃの高さに合わせて設けられ、例えば上段が「ＵＰ」、中段が「Ｍ」、下段が「ＬＯ」の文字とともに三角形又は矢印が表示される。
【００３０】
操作者は、例えばＬＣＤ１１に「“ＬＯ”に合わせてください。」の表示が示された場合、表示装置２１を台座部３１の摺動溝３２に沿って摺動させ、フック位置マーク２６をＬＯの位置マーク２５に合わせるように係止部材２１Ｂを横溝３２Ｃに合わせる。従って、操作者は表示装置２１の裏側を覗きこむ必要がない。
【００３１】
以上述べたように、本実施形態のディスプレイ装置１は、背面に係止部材２１Ａ又は係止部材２１Ｂと、前面にフック位置ボタン１２が押下されたときにフック位置マーク２６を表示するＬＣＤ１１と、を備える表示装置２１と、異なる高さに設けられ、係止部材２１Ａ又は係止部材２１Ｂを係止する係止部と、この係止部の位置に合わせて設けられる位置マーク２３、２４、２５と、を備える台座部と、を備える。従って、操作者は表示装置２１の裏面を覗きこむことなしに表示装置２１の高さを変更することが可能となるという効果がある。
【符号の説明】
【００３２】
１：ディスプレイ装置、
１１：ＬＣＤ、
１２：フック位置ボタン、
２１：表示装置、
２６：フック位置マーク、
２３、２４、２５：位置マーク、
２２Ａ、２２Ｂ、２２Ｃ：係止孔、
３２Ａ、３２Ｂ、３２Ｃ：横溝。
【図１】
2011175166.tif 000003
【図２】
2011175166.tif 000004
【図３】
2011175166.tif 000005
【図４】
2011175166.tif 000006
【図５】
2011175166.tif 000007
【図６】
2011175166.tif 000008
【図７】
2011175166.tif 000009